(57)【要約】少なくとも部分的に消臭剤で充填された容器と、空洞のある中空吸い上げ芯を備えた空気消臭器であって、容器またはこれに接続された部分が中空吸い上げ芯の回りに接して、吸い上げ芯の外壁と容器の間の漏れが実質的に防がれ、吸い上げ芯は吸い上げ芯の空洞部分を通る漏れを防ぐシールを備え、シールは少なくとも部分的に吸い上げ芯の空洞部分に設置されている。【選択図】図１Ａ
2010511422.tif 000002
【特許請求の範囲】
【請求項１】
少なくとも部分的に消臭液で充填された容器と、空洞のある中空吸い上げ芯とを備えた空気消臭器であって、
前記容器またはこれに接続された部分が前記中空吸い上げ芯の回りに接して、前記吸い上げ芯の外壁と前記容器の間の漏れが実質的に防止され、
前記吸い上げ芯は、前記吸い上げ芯の前記空洞部分を通る漏れを防ぐシールを備え、前記シールは少なくとも部分的に前記吸い上げ芯の前記空洞部分に設置されていることを特徴とする空気消臭器。
【請求項２】
請求項１に記載の空気消臭器において、
前記シールは、少なくとも部分的にプラグ形状であり、前記中空吸い上げ芯の内壁に接することを特徴とする空気消臭器。
【請求項３】
請求項１または２に記載の空気消臭器において、
前記容器が少なくとも部分的に液体で充填され、少なくとも前記消臭器が正立状態である場合は、前記シールが少なくとも部分的に前記容器の液体表面レベルより下、すなわち前記液体表面より下に、延在していることを特徴とする空気消臭器。
【請求項４】
請求項２または３に記載の空気消臭器において、
前記プラグが中空であることを特徴とする空気消臭器。
【請求項５】
請求項１から請求項４のいずれかに記載の空気消臭器において、
少なくとも前記消臭器が正立状態の場合に、前記シールがフランジを備えて前記吸い上げ芯の最上面で前記吸い上げ芯と接することを特徴とする空気消臭器。
【請求項６】
請求項１から請求項５のいずれかに記載の空気消臭器において、
前記シールには、前記シールの底の付近に開口エレメントが設置されていることを特徴とする空気消臭器。
【請求項７】
請求項１から請求項６のいずれかに記載の空気消臭器において、
少なくとも前記消臭器が正立状態の場合に、前記開口エレメントは前記シールの前記底の部分に設けられることを特徴とする空気消臭器。
【請求項８】
請求項６または７に記載の空気消臭器において、
前記開口エレメントが貫通エレメントを備えることを特徴とする空気消臭器。
【請求項９】
請求項８に記載の空気消臭器において、
前記貫通エレメントは、貫通部品、例えばポンプが貫通する際に、その回りをシーリングするように構成されたことを特徴とする空気消臭器。
【請求項１０】
請求項１から請求項９のいずれかに記載の空気消臭器において、
前記シールはじょうご形状の部分を備え、他の部分と共に液体輸送エレメントを前記シールを通してガイドするように構成されていることを特徴とする空気消臭器。
【請求項１１】
請求項１から請求項１０のいずれかに記載の空気消臭器において、
前記容器は吸い上げ芯ホルダを備え、他の部分と共に前記吸い上げ芯の回りで前記容器を閉鎖することを特徴とする空気消臭器。
【請求項１２】
請求項１から請求項１１のいずれかに記載の空気消臭器において、
前記シールは、好ましくはポンプを備える液体輸送エレメントを備え、
前記シールは中空であって、前記吸い上げ芯を通って延在し、
少なくとも前記消臭器が正立状態の場合に、前記液体輸送エレメントは、前記シール内を通って、前記シールの前記底の下の位置まで延在することを特徴とする空気消臭器。
【請求項１３】
請求項１２に記載の空気消臭器において、
前記シールの内側が前記液体輸送エレメントの周りを封止して前記液体輸送エレメントと前記シールの間の漏れを防ぐことを特徴とする空気消臭器。
【請求項１４】
請求項１２または１３に記載の空気消臭器において、
前記液体輸送エレメントと前記容器はそれぞれ第１および第２の取り付けエレメントを備え、前記第１と第２の取り付けエレメントは連携して、前記液体輸送エレメントの容器への取り付けと取り外しをそれぞれ行うことを特徴とする空気消臭器。
【請求項１５】
請求項１２から１４のいずれか１項に記載の空気消臭器において、
前記液体輸送エレメントと前記シールは、前記液体輸送エレメントを前記シールおよび／または容器に対し位置合わせを行う第１および第２の位置合わせエレメントをそれぞれ備えることを特徴とする空気消臭器。
【請求項１６】
請求項１２から１５のいずれか１項に記載の空気消臭器において、
前記液体輸送エレメントの前記第１の位置合わせエレメントは突起を備えることを特徴とする空気消臭器。
【請求項１７】
請求項１２から１６のいずれか１項に記載の空気消臭器において、
前記シールの前記第２の位置合わせエレメントはガイド路を備えることを特徴とする空気消臭器。
【請求項１８】
請求項１１から１７のいずれか１項に記載の空気消臭器において、
前記位置合わせエレメントはバヨネット式取り付け具を備えることを特徴とする空気消臭器。
【請求項１９】
請求項１４から１８のいずれか１項に記載の空気消臭器において、
前記取り付けエレメントは位置合わせエレメントとしても機能することを特徴とする空気消臭器。
【請求項２０】
請求項１から１２のいずれかに記載の空気消臭器において、
前記容器と前記吸い上げ芯を閉鎖する蓋を備え、
前記蓋は、閉じた状態で前記シールに接する内側フランジを備え、液体が前記吸い上げ芯の前記空洞部分を通って前記吸い上げ芯の上端部から流出することを防ぐことを特徴とする空気消臭器。
【請求項２１】
好ましくは請求項１から請求項２０のいずれかに記載の空気消臭器用のポンプであって、
消臭液容器に前記ポンプを取り付ける取り付けエレメントと、
液体輸送方向に沿って延在し、前記ポンプが容器に設置された時、中空吸い上げ芯の内側を通って消臭液に接する細長いエレメントとを備え、
前記ポンプは、前記容器に対して前記ポンプの位置合わせを行う、および／または同時に前記ポンプの取り付けを行う位置合わせエレメントを備えることを特徴とする空気消臭器用ポンプ。
【発明の詳細な説明】
【技術分野】
【０００１】
本発明は空気消臭器およびこの消臭器のためのポンプに関する。
【背景技術】
【０００２】
揮発性の消臭液を拡散する空気消臭器は従来から知られている。このような消臭器は通常液体を保持する容器と吸い上げ芯を備える。吸い上げ芯を備えた容器を部分的に閉じるように通気のためのキャップが設けられている。吸い上げ芯は少なくとも部分的に液体の中にあり、消臭液を吸い上げる。吸い上げ芯が十分に空気に露出していると、例えばキャップの開口部を通して、消臭剤は拡散される。輸送の間は、蓋が吸い上げ芯を備えた容器を閉じ、空気中で液体を気密状態とする。
【発明の概要】
【発明が解決しようとする課題】
【０００３】
従来の消臭器の欠点は、必要に応じて揮発性の消臭液を増進することができないことである。
【０００４】
吸い上げ芯に空洞があると、液体が空洞を通って流れ出るという問題が生じる。例えば、容器が上下逆さまになると、液体はキャップあるいは蓋の吸い上げ芯の空洞部分から自由に流れ出るが、これは好ましくない。この後容器が再び正立状態となると、少量の液体がキャップまたは蓋に、例えばこれらの横の突出部に、残留する。これにより、キャップまたは蓋が外されると、消臭液が拡散および／または漏出するが、これはまた液体の浪費となる。
【０００５】
従って、本発明の目的の１つは空気消臭器の消臭液の浪費を避けることにある。
【課題を解決するための手段】
【０００６】
上記目的と本発明の他の目的はそれぞれの発明を個別でまたは組み合わせて達成される。
【０００７】
第１の態様として、本発明は少なくとも部分的に消臭液が充填された容器と、中空の吸い上げ芯とを備えた空気消臭器からなる。この容器、または容器に接続された部分は、前記中空吸い上げ芯の回りで吸い上げ芯に接して、吸い上げ芯の外壁と容器との間での漏れを実質的に防ぐ。ここで吸い上げ芯は、吸い上げ芯の空洞部分からの漏れを防ぐシールを備え、このシールは少なくとも吸い上げ芯の空洞部分に部分的に設置されている。
【０００８】
吸い上げ芯を内側からシールによって閉鎖することにより、何らかのもの、例えばポンプを、シールを通して挿し込んで、液体と接するようにすることができる。ここでシールに傷が無い場合は、液体は吸い上げ芯の隙間を通過しない。ポンプが空洞部分を通り、シールを通過して、挿し込まれた後で、液体はポンプにより空洞部分を通過する。シールは吸い上げ芯の位置で適当な所に、消臭特性に影響を与えないように、例えば液体面レベルの下に、設置して良い。吸い上げ芯にシールを組み込む（シールは吸い上げ芯の空洞部分に設置する）ことで、吸い上げ芯の内側は閉鎖され液体の洩れや浪費は殆ど無い。吸い上げ芯を内側から閉鎖しても、吸い上げ芯自体の消臭能力に影響を与えることはない。これは吸い上げ芯の外側表面は新鮮な空気に触れているためである。
【０００９】
一実施の形態では、シールは実質的にプラグの形状であることが好ましい。このようにして、シールは例えば細長いエレメントをガイドするガイド機構の働きをする。例えば、ポンプのような液体輸送エレメントは容易にシール内側を通るようにガイドされ、
例えば底に設置された開口エレメントを通して、液体輸送エレメントの終端が通常の液体表面の下に達して液体を吸い上げる。
【００１０】
一実施の形態では、シールは液体輸送エレメントの回りを封止し、液体輸送エレメントとシールの間の洩れを防ぐようになっている。
【００１１】
他の実施形態では、シールは少なくとも部分的に容器の液面レベルの下に設置される。すなわち、容器が（部分的に）液体で充填され、シールは好ましくは、少なくとも部分的に、液体面の下に設置され、少なくとも消臭器が正立している状態で通常の液体面が上昇するように設置される。
【００１２】
一実施の形態では、液体輸送エレメントをシールに通す間に、この液体輸送エレメントがシールに設けられた開口エレメントを刺し貫いても良い。位置合わせエレメントを用いて液体輸送エレメントを容器および／または開口エレメントに対し位置合わせしてもよい。
【００１３】
第２の態様として、本発明に係る消臭器用ポンプは、消臭器の液体容器にポンプを取り付けるための取り付けエレメントと液体輸送方向に伸びた細長いエレメントを備える。この細長いエレメントは容器に取り付けられ、前記容器において空洞の吸い上げ芯の内部を通り、この終端が少なくとも消臭液に接する。ここでポンプは、ポンプを容器に対し位置合わせするためおよび／または同時にポンプを取り付けるための位置合わせエレメントを、備える。
【図面の簡単な説明】
【００１４】
【図１Ａ】図１Ａは、消臭器の正立断面図である。ポンプはプラグの上部に保持されている。
【図１Ｂ】図１Ｂは、消臭器の正立断面図で、ポンプが図１Ａと比べ下に押し下げられている。
【図１Ｃ】図１Ｃは、消臭器の正立断面図で、ポンプが図１Ｂと比べ下に押し下げられ、プラグの開口エレメントを刺し貫いている。
【図２Ａ】図２Ａは、蓋の付いた消臭器の正立断面図である。蓋は容器の上部に保持されている。
【図２Ｂ】図２Ｂは、図２Ａの消臭器の正立断面図で、蓋を閉じ込んだものである。
【図３】図３は、開口エレメントを備える消臭器の部分正立断面図である。
【図４】図４は、蓋の付いた消臭器の分解組み立て図である。
【図５】図５は、ポンプを上部に保持した消臭器の概略斜視図である。
【発明を実施するための形態】
【００１５】
本発明を明確にするため、これに関する実施の形態を更に図を引用して説明する。
以下の説明では、同一または対応する部分には同一または対応する引用番号を付している。提示する実施形態はいかなる形でもこれらに限定するものでなく、単に実施例として示すものである。
【００１６】
本発明による空気消臭器１を図１Ａ−１Ｃに正立状態で示す。図に示すように、消臭器１は部分的に消臭液３で充填された容器２から成る。空洞のある中空の吸い上げ芯４は容器２の中に設置され、部分的に液面５の下にあって、吸い上げ芯４が液体３を吸い上げる。吸い上げ芯４の少なくとも外部表面部分４Ａが十分に空気に露出していれば、液体３は吸い上げ芯４により連続的に拡散される。
【００１７】
空洞の無い吸い上げ芯４と比べ、同じ外形寸法の空洞のある吸い上げ芯４はより少ない液体３を吸い上げる。従って、吸い上げ後、液体レベル５は空洞の無い吸い上げ芯と比べ、それ程低下しない。中空吸い上げ芯の消臭特性は空洞の無い吸い上げ芯と少なくとも同等か、むしろ良い。
【００１８】
一実施の形態では、吸い上げ芯４はプラグ形状のシール１０を備える。これは以下の説明で「プラグ」と記載する。図１Ａ−１Ｃに示すように、プラグ１０は空洞部分１１、すなわち、吸い上げ芯４の内側１１、を実質的に閉鎖している。プラグ１０は中空吸い上げ芯４に接し、吸い上げ芯４の内側１１を少なくとも実質的に封止する。
【００１９】
吸い上げ芯４の外側は、容器２または吸い上げ芯ホルダ１２（図２参照）により、閉鎖され、通気孔３２（図４に最も分かりやすく示されている）の付近を除き、吸い上げ芯４と容器２とは実質的に封止されて接合されている。これらのいわゆる通気孔３２は容器２、またはここでは吸い上げ芯ホルダ１２に設けられ、液体３が吸い上げ芯４に吸い上げられて吸い上げ芯４が素早く液体３を吸い上げてしまい、容器２が低圧となることを防いでいる。原理的に、液体３は内側１１を介しては吸い上げ芯４を殆ど通過せず、また吸い上げ芯４の外側も通過しない。しかしながら、上下逆さまに保持されると、液体３は多少通気孔３２を通過し、例えば蓋６の内側に流れ込む。この液体４は、再び通気孔３２を通って戻ることもできる。
【００２０】
一実施の形態では、プラグ１０は部分的に円柱状の形状となっている。プラグ１０と吸い上げ芯４とのシーリング接合は、吸い上げ芯４の内壁を少なくとも部分的に円柱の外面１３に沿ってプラグ１０に当接することで達成される。従って、プラグ１０の外面１３の直径は、吸い上げ芯４の内側表面の直径とほぼ同じとなっている。好ましくは、プラグ１０と吸い上げ芯４の間で十分な摩擦が生じ、プラグ１０の位置が動かないような寸法であると良い。例えば、消臭器１が上下逆さま、または傾いた場合に、プラグ１０と吸い上げ芯４の間の漏れが防げると良い。プラグ１０は、更に吸い上げ芯４において蓋６（図２Ａと２Ｂ参照）または液体輸送エレメント８によってしっかり保持される。図２Ｂで示すように、プラグ１０の上部付近で、蓋６はプラグ１０に接している。このようにして、プラグ１０の内側は封止される。
【００２１】
プラグ１０は吸い上げ芯４の最上部に接するフランジ２５を備える。このフランジ２５は、プラグ１０が吸い上げ芯４の空洞部分１１を通って下向きに押し込まれることを防ぐ。例えば、蓋６、特に蓋６のフランジ２６、および／または液体輸送エレメント７はプラグ１０を押圧するが、プラグ１０のフランジ２５はプラグ１０が吸い上げ芯４の内側を通って押されることを防ぐ。
【００２２】
一実施の形態では、プラグ１０は、少なくとも消臭器１の正立状態で、プラグ１０の底が通常の液体表面レベル５より下になるような寸法となっている。プラグ１０の部分を液体表面レベル５の下に押し込むと、このレベル５は上昇する。
【００２３】
図２Ａと２Ｂには、蓋６を備える消臭器１において、蓋６を外した状態、または装着した状態をそれぞれ示している。蓋６は揮発性の液体２が、例えば保管および／または輸送状態で、容器から流出することを防ぐ。図１Ｃに示す実施形態は、完全ではないが、液体輸送エレメントを備えた実際の使用形態に近い。実際の使用形態では、液体輸送エレメント７は揮発性液体３の消臭剤を通す開口部を備え、保管および／または輸送状態に比べ、液体３は容器２から速やかにおよび／または連続的に流出する。（例えば図２Ｂ参照）
【００２４】
液体輸送エレメント７は駆動エレメント２８を持つポンプ８を備え、エレメント２８の駆動により、より多くの液体３を消臭器１の外側９に「ポンピング（pumping）」し、消臭剤が特定の時間以降特に強く拡散するようにする。このポンプ８は特に液体輸送方向に伸長した部分２７を備え、これはプラグおよび／または吸い上げ芯４の空洞部分を通って伸びており、液体３を吸い上げ芯４の間を通って外部９に輸送する。ポンプがプラグ１０に挿入されると、伸長部２７の吸い上げ端１５は消臭液３に接する。
【００２５】
一実施の形態では、プラグ１０は実質的に空洞であり、じょうご形状の部品１４を備える。じょうご形状の部品１４はポンプ８をプラグ１０に挿入するとき、プラグ１０においてポンプ８をガイドする。また、ポンプ８の吸い上げ端１５は、前記部品１４により、容易にプラグ１０の底の中心を通るようにガイドされる。プラグ１０は吸い上げ芯４の上面に接するフランジ２５を備える。
【００２６】
好ましくは、開口エレメント１６はプラグ１０の底付近に設けられる。ポンプ８は開口エレメント１６を貫通して液体３に接し、液体３は容器２から外に輸送される。図示されているように、開口エレメント１６は液体表面レベル５より下に設置される。このようにして、液体表面レベル５は上昇し、ポンプ８のほんの少しの部分だけ液体３と接するようにされる。ポンプ８の貫通完了後、開口エレメント１６または少なくともプラグ１０は、ポンプ８とプラグ１０の間での漏れを実質的に防ぐように、ポンプ８を周囲でシールする。
【００２７】
更に詳細な開口エレメント１６の図を図３に示す。図示のように、開口エレメント１６は貫通部１７を備えてもよい。ポンプ８は、好ましくは比較的小さな力で、この部分１７を突き破る、または押し破る。好ましくは、貫通部１７または少なくとも開口エレメント１６は容易に貫通されるように構成される。この貫通部１７は例えばブレークシールまたはバルブのタイプでも良い。またこの部分１７はプラグ１０と共に一体化して成形されても、または別々の部品をプラグ１０の組み立てで取り付けても良い。図示するように、一実施の形態において開口エレメント１６は、少なくともポンプ８が最初に貫通エレメント１７を貫通する場所に、切り欠き１８を有する。これは切り欠き１８の近くで最初の開口部を生成すると、ポンプ８はより少ない力で開口部を貫通できるので有利である。反対側では、図に点線で示してあるように、貫通エレメント１７が全部破れ落ちないように、貫通エレメント１７はより強固な結合部３１でプラグ１０に結合されている。このため、貫通エレメント１７は傾いた状態で構成されて良く、傾き角は、少なくとも消臭器１が正立の状態では、水平方向ｈに対し角度αである。
【００２８】
開口エレメント１６、または少なくともプラグ１０は、ポンプ８を覆う覆い部１９を備え、液面レベル５の下であっても、ポンプ８とプラグ１０の間で実質的にシーリング接合される。例えば、ポンプ８、少なくともポンプの端部１５が、貫通エレメント１７を通って挿し込まれると、液体がポンプ８とプラグ１０との間で漏れることはない。従って、開口エレメント１６、特にこの覆い部１９は、ポンプ８が貫通エレメント１７を通って押し込まれる時、ポンプ８の周囲を閉鎖するように構成されている。更に、覆い部１６はポンプ８をクランプしてもよい。
【００２９】
他の実施形態では、開口エレメント１０は、例えばストッパ、バルブ、またはその他のシーリング部品で構成されても良い。ある実施形態では、ポンプが開口エレメント１６を通して押し込まれた場合に、液体３および／または空気がプラグ１０とポンプ８の間を通過可能としても良い。
【００３０】
液体輸送エレメント７を容器２に接続するために、第１の接続エレメント２０が設けられている。蓋６にも容器２に接続するための第１の接続エレメント２０が設けられている。これらの第１接続エレメント２０は、液体輸送エレメント７と容器２、または蓋６と容器２を比較的固く結合するために設けられている。容器２には、第２の接続エレメント２１が第１の接続エレメントと連携するように設けられても良い。
【００３１】
一実施の形態では、液体輸送エレメント７と容器２のそれぞれの接続エレメント２０、２１は、対応するスナップ取付構造を備える。第１の接続エレメント２０は例えば突起を備え、第２の接続エレメントの下に引っ掛けられるようになっている。図１Ａ、１Ｂ、１Ｃの各ステップで示すように、ポンプ８を押し込む間、第１の接続エレメント２０は、第１ステップで、外側（図１Ｂ）に押され、次に第２の接続エレメント２１（図１Ｃ）の下にスナップで引っ掛かる。スナップ取り付けの動作中、または少なくとも前記ポンプ８を押し込み中に、ポンプ８は開口エレメント１６を通って挿し込まれる。これと同時にポンプ８とプラグ１０の間の封止が成される。
【００３２】
他の実施形態では、液体輸送エレメント７は第１の接続エレメント２０が実質的に第２の接続エレメント２１の下に位置するように押し下げられる。次に、液体輸送エレメント７は中央の軸Ａ（図１Ａ）の回りに回転されて、第１の接続エレメント２０は第２の接続エレメント２１の下に当接するように位置決めされる。この場合にも、第１の接続エレメント２０は、第２の接続エレメント２１に対して、および／またはこの下に引っ掛けられて、十分な接続が成される。この動作と同時に、液体輸送エレメント７は容器２と正しく位置合わせされる。
【００３３】
蓋６の第１の接続エレメント２０は、図２Ａで示すように、例えばねじ山から構成されてもよい。このようにして気密性および／または液漏れのない結合が成される。一実施の形態では、第２の接続エレメント２１は、液体輸送エレメント８のスナップ取付構造と連携するとともに、蓋６のねじ山に対応するように構成される。
【００３４】
一実施の形態では、液体輸送エレメント７は位置合わせエレメント２２、２３を備え、液体輸送エレメント７を容器２に対し、位置合わせおよび／または接続を行う。一実施の形態として、バヨネット式の取り付け方法では、液体輸送エレメント７は突起２２を備え、容器２はガイド路２３を備える。これは図５に概略的に示されている。明瞭にするため、位置合わせエレメント２２を備える液体輸送エレメント７の一部のみを明確に示し、他の部分は点線で示している。液体輸送エレメント７を容器２に接続するため、突起２２がガイド路２３に合わせられる。次に、液体輸送エレメント７が軸Ａの方向に下に押し下げられ、突起２２はこの時ガイド路２３に沿ってガイドされる。突起がほぼガイド路の下端に達すると、液体輸送エレメント７は突起２２がガイド路２３の終端に接するまで、軸Ａの回りにＢの方向に回転される。液体輸送エレメント７への押し下げ力を止めると、弾性手段（図示せず）が容器２と液体輸送エレメント７との間に働き、上向きの力を与える。これにより、突起がガイド路終端２４の上側に押しつけられ、液体輸送エレメント７は比較的安定に保持される。位置合わせエレメント２２、２３により、液体輸送エレメント７は簡単に位置合わせされると共に容器２に接続される。これは好ましくは手の１動作により行われる。例えば、容器２の中心軸Ａの回りの液体輸送エレメント７の回転方向は位置合わせエレメント２２、２３により設定される。この方向の設定により、ポンプ８が切り欠き１８の側で開口部１６を小さい力でほぼ確実に挿し貫くようにすることができる。また、ポンプ８はプラグ１０の中心に対して位置合わせすることができる。位置合わせエレメント２２、２３は接続エレメント２０、２１に容易に一体化できる。
【００３５】
一実施の形態では、蓋６は、プラグ１０に接してプラグ１０と蓋６の間のシールとなる、内側フランジ２６を備える。消臭器が蓋を付けて輸送される時は、例えば消臭器が逆さまとなったり、傾いたりした時、吸い上げ芯４の吸い上げ部を通して、液体３が蓋６に移動することがある。例えば、消臭器が逆さまの状態から正立の状態に戻った時、内側フランジ２６は液体３がプラグ１０の内側に流れ込むのを防ぐ。正立の状態では、例えば通気孔３２を通過してきた液体のうちの実質的に大部分または全部が、原理的に吸い上げ芯４または容器２に通気孔３２を通って還流し、プラグ１０には流入しない。
【００３６】
容器２は付加的な吸い上げ芯ホルダ１２を備えることができ、ホルダ１２は容器２に挿入され、吸い上げ芯４を比較的簡単に容器に挿入できるように設けられている。吸い上げ芯ホルダ１２は図４に明瞭に図示されている。吸い上げ芯ホルダ１２はフランジ２９を備え、容器２の上端で対応する径のところに接して設置される。吸い上げ芯ホルダ１２により、吸い上げ芯４は例えば容器２から所望の距離だけ離れて保持することができる。吸い上げ芯ホルダ１２は、また吸い上げ芯４と容器２の間のシールとして機能する。これにより、消臭器が傾いても、これらの部品の間からの液体の漏れはより少ないかあるいは全く漏れがないようになる。吸い上げ芯ホルダ１２は、少なくとも部分的にややじょうご状の形状をしており、これにより吸い上げ芯ホルダ１２は吸い上げ芯４をしっかり保持するとともに、吸い上げ芯４を容器２に比較的簡単に挿入することができる。じょうご状の形状は図２Ｂに角度βで示されており、この角度は吸い上げ芯４の外側表面４Ｂ（これはほぼ正立状態での垂線Ｖ）と正立状態での吸い上げ芯ホルダ１２の内側の表面３０との間の角度である。
【００３７】
消臭器１は簡単に組み立てられる。例えば、液体３、液体輸送エレメント７および／またはポンプ８は別々のエレメントであり、組み立てることができる。例えばエンドユーザにより組み立てができる。例えば、ポンプ８は再使用が可能で、消臭器の使用中、使用後に、残り量が少ないあるいは空の容器を新しく充填された容器に交換して再使用できる。また、容器は香りを変えるため交換することができる。
【００３８】
ポンプ８の代わりに、またはポンプ８に追加して、特別な実施形態として、液体輸送エレメントは再充填手段を備えて良い。これにより中空の吸い上げ芯４を設置したまま、容器２を再充填することができる。また液体輸送エレメント７は容器を空にするための他のエレメントを備えて良い。
【００３９】
上記の説明では主にプラグ形状のシール１０が記載されているが、シールは本発明の範囲内で他の形状でも良い。例えば、シール１０、またはこの一部は薄い層または箔で成形されて良く、好ましくは吸い上げ芯４の内側の部分であることが望ましい。シール１０は少なくとも部分的に吸い上げ芯４に接し、および／または結合され、および／または吸い上げ芯と一体化して良い。シールは例えば吸い上げ芯の内側に接着されて良い。またシール１０は吸い上げ芯にどのような方法でねじ止めされても良い。シール１０またはこの部分はバルブを備えて良い。有利な実施形態として、シール１０は、液体輸送エレメント７が挿し込まれる時にその周囲を閉め込むように構成されている。
【００４０】
ここでの説明では、位置を示す表示として、「最上面（top）」、「底（bottom）」、「側（side）」等は限定的に解釈されるべきでなく、単に本発明の適切な理解のために使用されているものである。明らかに、これらの表示は消臭器の正立の位置に準じているが、他の位置に対して限定するものではない。
【００４１】
本発明は、ここでの説明と図で提示されたどのような実施形態にも限定されないことは明らかである。請求項で概略が示されている本発明の枠組みの中で、多くの変形例や組み合わせが可能である。実施形態での１つまたはそれ以上の特徴の組み合わせ、または異なる実施形態の組み合わせが本発明の枠組みの中で可能である。全ての同様な変形例は請求項で概略が示される本発明の枠組みの中に入ると理解される。
【図１Ａ】
2010511422.tif 000003
【図１Ｂ】
2010511422.tif 000004
【図１Ｃ】
2010511422.tif 000005
【図２Ａ】
2010511422.tif 000006
【図２Ｂ】
2010511422.tif 000007
【図３】
2010511422.tif 000008
【図４】
2010511422.tif 000009
【図５】
2010511422.tif 000010
【国際調査報告】
2010511422.tif 000011
2010511422.tif 000012
2010511422.tif 000013
2010511422.tif 000014
2010511422.tif 000015